(57)【要約】【課題】各種商品を効率良く搬送し陳列することができ、非使用時にはネスティングして収納することができる台車兼陳列棚を提供する。【解決手段】背面部枠部材１の両側部に支柱１１，１２が鉛直に配設され、両側の支柱１１，１２には、所定の長さを有するスリット状の係止孔１７が、縦に所定の間隔をおいて複数個穿設される。フック状の係止部５１を背面部に有する１対の棚受け部材５が、両側の支柱１１，１２の１７係止孔に、係止部５１を差し込んで、第１側部枠部材２の内側に、水平に取り付けられ、方形の棚板６が両側の棚受け部材５上に着脱可能に取り付けられる。ベース板４は、背面部枠部材１の下部に、ヒンジ部８を介して上下に回動可能に取り付けられる。【選択図】図１
2019187738.tif 000002
【特許請求の範囲】
【請求項１】
底部に１対の後キャスターを設けた背面部枠部材と、該背面部枠部材の端部に平面視で直角に固定され、底部に前キャスターを設けた第１側部枠部材と、該背面部枠部材の他方の端部に蝶番を介して開閉可能に取り付けられ、底部に前キャスターを設けた第２側部枠部材と、を備えた台車兼陳列棚であって、
該背面部枠部材の両側部に支柱が鉛直に配設され、該両側の支柱には、所定の長さを有するスリット状の係止孔が、縦に所定の間隔をおいて複数個穿設され、
フック状の係止部を背面部に有する１対の棚受け部材が、該両側の支柱の該係止孔に該係止部を嵌入して、該背面部枠部材の内側に、着脱可能に取り付けられ、
棚板が該両側の棚受け部材上に着脱可能に取り付けられ、
方形のベース板が、該背面部枠部材の下部に、ヒンジ部を介して上下に回動可能に取り付けられ、
該ベース板を少なくとも垂直位置でロックするロック金具が該ベース板に取り付けられたことを特徴とする台車兼陳列棚。
【請求項２】
前記１対の後キャスターは、前記背面部枠部材の下枠の底部に固定した取付板に取り付けられ、前記前キャスターは、前記第１側部枠部材と第２側部枠部材の下枠の前底部に固定した取付板に、取り付けられたことを特徴とする請求項１記載の台車兼陳列棚。
【請求項３】
前記第１側部枠部材と第２側部枠部材の下枠の内側に、前記ベース板の縁部を嵌入して保持するベース板保持部が設けられたことを特徴とする請求項２記載の台車兼陳列棚。
【請求項４】
前記ロック金具は、把持部を設けたロックピンと、該ロックピンを摺動可能に保持するロックケースと、該ロックピンを付勢するバネ部材とを備え、ロックケースには、該把持部を非ロック位置とロック位置で係止する係止凹部が設けられ、該ロックピンの先端を突出させて前記ベース板を水平または垂直位置にロックすることを特徴とする請求項１記載の台車兼陳列棚。
【請求項５】
前記第２側部枠部材の後枠が円形パイプにより形成され、前記蝶番は、該円形パイプの後枠を両側から挟持する半円形部材を有し、締付ネジにより該半円形部材を締め付けて、該後枠を回動可能に保持することを特徴とする請求項１記載の台車兼陳列棚。
【発明の詳細な説明】
【技術分野】
【０００１】
本発明は、大型量販店などで、商品を搬入する際に台車として使用され、且つそのまま店舗で陳列棚としても使用することができる台車兼陳列棚に関する。
【背景技術】
【０００２】
従来、大型量販店などで、商品を搬入する際に台車として使用され、且つそのまま店舗で陳列棚としても使用することができる台車兼陳列棚が、特許文献１などにおいて、提案されている。この台車兼陳列棚は、２台の台車上に、商品陳列用の空間を有する枠部材が立設され、枠部材内に複数の棚部が配設され、２台の台車が、相互に隣接する縦枠部に蝶番を取り付け、２台の台車を、蝶番を介して開閉するように、構成される。
【先行技術文献】
【特許文献】
【０００３】
【特許文献１】特開２０００−１６８５６１号公報
【発明の概要】
【発明が解決しようとする課題】
【０００４】
しかし、この従来の台車兼陳列棚は、２台の台車上に、商品陳列用の空間を有する直方体形状の枠部材を立設し、枠部材内に複数の棚部を取り付けるための棚取付部を縦枠に固定的に設けている。このため、棚板を枠部材に対し着脱可能に設けたとしても、陳列棚として商品の陳列に使用する際、棚板の位置が固定され、商品の種類や大きさによっては、スペースが空きすぎ、効率の悪い陳列を強いられる課題があった。
【０００５】
また、上記台車兼陳列棚は、店舗で使用しないときに、特定箇所に集めて収納されるが、台車形態及び陳列棚形態ともにネスティングができないため、多くの収納スペースが必要となる課題があった。
【０００６】
本発明は、上述の課題を解決するものであり、各種商品を効率良く搬送し陳列することができ、非使用時にはネスティングして収納することができる台車兼陳列棚を提供することを目的とする。
【課題を解決するための手段】
【０００７】
本発明に係る台車兼陳列棚は、
底部に１対の後キャスターを設けた背面部枠部材と、該背面部枠部材の端部に平面視で直角に固定され、底部に前キャスターを設けた第１側部枠部材と、該背面部枠部材の他方の端部に蝶番を介して開閉可能に取り付けられ、底部に前キャスターを設けた第２側部枠部材と、を備えた台車兼陳列棚であって、
該背面部枠部材の両側部に支柱が鉛直に配設され、該両側の支柱には、所定の長さを有するスリット状の係止孔が、縦に所定の間隔をおいて複数個穿設され、
フック状の係止部を背面部に有する１対の棚受け部材が、該両側の支柱の該係止孔に該係止部を嵌入して、該背面部枠部材の内側に、着脱可能に取り付けられ、
棚板が該両側の棚受け部材上に着脱可能に取り付けられ、
方形のベース板が、該背面部枠部材の下部に、ヒンジ部を介して上下に回動可能に取り付けられ、
該ベース板を少なくとも垂直位置でロックするロック金具が該ベース板に取り付けられたことを特徴とする。
【０００８】
この発明の台車兼陳列棚によれば、例えばイベントセールなどで、多くの商品を売り場まで搬送する際、台車兼陳列棚内に搭載して効率良く搬入することができる。また、陳列棚として商品の陳列に使用する際、背面部枠部材の両側の支柱に対し、棚受け部材を介して複数の棚板を任意の高さ位置に着脱可能に取り付けることができるので、商品の種類や大きさに応じて、棚板の位置を変え、効率良く多くの商品を陳列することができる。
【０００９】
また、非使用時、棚板と棚受け部材を外し、ベース板を上に回動させて垂直位置とした状態で、第２側部枠部材を内側に回動させ、背面部枠部材と平行にして台車兼陳列棚を収納すれば、複数の台車兼陳列棚をネスティングして収納することができ、収納スペースの省スペース化を図ることができる。
【００１０】
ここで、上記１対の後キャスターは上記背面部枠部材の下枠に底部に固定した取付板に取り付け、上記前キャスターは上記第１側部枠部材と第２側部枠部材の下枠の前底部に固定した取付板に取り付けることが好ましい。
【００１１】
またここで、第１側部枠部材と第２側部枠部材の下枠の内側に、上記ベース板の縁部を嵌入して保持するベース板保持部を設けることが好ましい。
【００１２】
またここで、上記ロック金具は、把持部を設けたロックピンと、該ロックピンを摺動可能に保持したロックケースと、該ロックピンを付勢するコイルバネとを備え、ロックケースには、該把持部を非ロック位置とロック位置で係止する係止凹部が設けられた構成とすることができる。
【００１３】
またここで、上記第２側部枠部材の後枠を円形パイプにより形成し、上記蝶番は、該円形パイプの後枠を両側から挟持する半円形部材を、締付ネジにより回動可能に締め付けるように構成することができる。
【発明の効果】
【００１４】
この発明の台車兼陳列棚によれば、各種商品を効率良く搬送し、且つ陳列することができ、非使用時にはネスティングして収納することができる。
【図面の簡単な説明】
【００１５】
【図１】本発明の一実施形態を示す台車兼陳列棚の正面図である。
【図２】同台車兼陳列棚の右側面図である。
【図３】同台車兼陳列棚の斜視図である。
【図４】２枚の棚板を取り付けた台車兼陳列棚の正面図である。
【図５】図４のV-V断面図である。
【図６】台車兼陳列棚の分解斜視図である。
【図７】台車兼陳列棚の背面側から見た分解斜視図である。
【図８】第１側部枠部材と第２側部枠部材の斜視図である。
【図９】背面部枠部材の支柱と棚受け部材の断面図である。
【図１０】支柱と棚受け部材及び棚板の係止状態を示す断面説明図である。
【図１１】（ａ）はロック金具の斜視図、（ｂ）はその断面図である。
【図１２】ロック金具の分解斜視図である。
【図１３】（ａ）はベース板の正面図、（ｂ）はその右側面図、（ｃ）はその底面図である。
【図１４】ベース板を上に立ち上げた状態の台車兼陳列棚の斜視図である。
【図１５】ベース板を上に立ち上げ、且つ第２側部枠部材を内側に閉じた状態の台車兼陳列棚の斜視図である。
【図１６】ネスティングした状態の台車兼陳列棚の斜視図である。
【図１７】ネスティングした状態の台車兼陳列棚の平面図である。
【発明を実施するための形態】
【００１６】
以下、本発明の一実施形態を図面に基づいて説明する。図１〜図３に示すように、台車兼陳列棚は、概略的には、底部に１対の後キャスター１０ａを設けた背面部枠部材１と、背面部枠部材１の左端部に平面視で直角に固定され、底部に前キャスター１０ｂを設けた第１側部枠部材２と、背面部枠部材１の右端部に蝶番７を介して開閉可能に連結され、底部に前キャスター１０ｃを設けた第２側部枠部材３と、を備えて構成される。
【００１７】
背面部枠部材１は、図６，７に示すように、両側に支柱１１と支柱１２を鉛直に設けた長方形の枠状に形成され、両側の支柱１１，１２は、上部の上枠１３と下部の下枠１４により連結・固定される。支柱１１，１２及び上枠１３と下枠１４は角パイプにより形成され、支柱１１，１２の正面側に、所定の長さを有するスリット状の係止孔１７が、縦に所定の間隔をおいて、多数（複数個）穿設される。支柱１１，１２の多数の係止孔１７は、棚板６を保持する棚受け部材５を係止するために使用され、両側の支柱１１，１２の係止孔１７は、各々、同一高さ位置に形成され、両側の棚受け部材５を同一の高さ位置で係止可能となっている。
【００１８】
支柱１１，１２及び上枠１３と下枠１４によって包囲された長方形の空間に、金属網１５が取り付けられる。また、下枠１４の底部両側に、後キャスター１０ａを取り付けるための、取付板１６が水平に固定される。１対の後キャスター１０ａは自在キャスターから構成され、取付板１６の底部に固定ネジで取り付けられる。
【００１９】
また、図６などに示す如く、右側の取付板１６上には、背面部枠部材１に対し開閉可能に枢支される第２側部枠部材３の背面部枠部材１に対する開角度を、略９０°に制限するために、ピン状のストッパ１８が所定位置に立設される。また、図３に示す如く、下枠１４の前側に、１対のヒンジ部８が設けられ、ベース板４が１対のヒンジ部８を介して上下に回動可能に枢支される。このヒンジ部８は、下枠１４とベース板４の両側に、コ字状のヒンジ片８ａが各々、固定され、両側のコ字状のヒンジ片８ａに穿設した軸孔に、ヒンジ軸を嵌挿させて、組み付けられる。
【００２０】
背面部枠部材１の右側の支柱１２に、図７に示す如く、第２側部枠部材３を開閉可能に枢支するための、蝶番７が上部と下部の両側に取り付けられる。図６，７に示すように、各蝶番７は、第２側部枠部材３の、円形パイプにより形成された後枠３１を、両側から挟持する１対の半円形部材７ａ、７ｂを、締付ネジ７ｃにより回動可能に締め付け軸支するように構成される。
【００２１】
蝶番７の一方の半円形部材７ａは、支柱１２の側部に固定され、他方の半円形部材７ｂはフリーの状態とされ、組み付ける際には、第２側部枠部材３の後枠３１を半円形部材７ａの内側に位置させ、後枠３１を覆うように他方の半円形部材７ｂを組み付ける。この状態で、半円形部材７ａと半円形部材７ｂ間を締付ネジ７ｃで締め付けて後枠３１を回動可能に挟持させ、これにより、第２側部枠部材３は蝶番７を介して後枠３１を軸に回動可能に保持される。
【００２２】
第１側部枠部材２は背面部枠部材１の左側の支柱１１に直角に固定される。つまり、第１側部枠部材２は、図３に示す如く、その後枠２１を背面部枠部材１の左側の支柱１１に前側から当て、平面視で背面部枠部材１に対し直角になるように、３本の固定ネジ２６により締付固定される。第１側部枠部材２の後枠２１は、図６，７に示す如く、アングル材から形成され、その下枠２４は角パイプから形成され、後枠２１の上部と下枠２４の前部間に、円形パイプから形成される上枠２３が連結・固定される。上枠２３は、第１側部枠部材２の上部から前部にかけて湾曲・形成されている。
【００２３】
一方、図１４などに示すように、下枠２４の前底部に、取付板２８が固定され、その取付板２８の底面に、例えば自在キャスターからなる前キャスター１０ｂが取り付けられる。なお、前キャスター１０ｂ、１０ｃに、ブレーキ付きのキャスターを使用すれば、陳列棚として使用する際、ブレーキをロックして停止状態で使うことができる。
【００２４】
さらに、第１側部枠部材２の平面部に、金属網１５が取り付けられ、後枠２１、下枠２４、上枠２３により囲われる空間は金属網１５となっている。また、図６に示す如く、後枠２１の中間部内側に、コ字状の掛止部２７が取り付けられる。この掛止部２７には、ベース板４を上に回動させ垂直に立ち上げた状態で、ベース板４のロック金具９のロックピン９２が掛止され、ベース板４を垂直状態に保持する。
【００２５】
ロック金具９は、ベース板４の底部両側に取り付けられ、ベース板４を水平位置及び垂直位置にロックさせる金具である。ロック金具９は、図１１、１２に示すように、把持部９３を設けたロックピン９２と、ロックピン９２を摺動可能に保持したロックケース９１と、ロックピン９２を突出側つまりロック方向に付勢するコイルバネ９４とを備えて構成される。ロックケース９１には、把持部９３をロック位置で係止する係止凹部９５と、非ロック位置つまりロックピン９２の先端部の引き戻し位置で把持部９３を係止する係止凹部９６が設けられる。なお、コイルバネ９４は、ロックピン９２を非突出側つまり非ロック方向に付勢するように取り付けることもできる。
【００２６】
ベース板４の両側底部に取り付けられるロック金具９は、各々、鏡面対称形状として形成され、例えば、図１１に示すロック金具９は、ベース板４の左側に取り付けられる。ベース板４を水平状態または垂直状態でロックする場合、図１１の左側にロックピン９２を摺動させ、ロックピン９２の先端部を第１側部枠部材２の挿入孔２９に係止させて、ベース板４を水平状態に保持する。ベース板４の右側に取り付けられるロック金具は、左側のロック金具９の鏡面対称形状に形成される。
【００２７】
第２側部枠部材３は、上記のように、背面部枠部材１の右側の支柱１２に対し上下１対の蝶番７を介して回動可能に取り付けられる。第２側部枠部材３は、図６，７に示す如く、角パイプ状の下枠３４の後端部上に、円形パイプ状の後枠３１を立設し、後枠３１の上端部と下枠３４の前端部との間に湾曲した上枠３３を取り付け、後枠３１、上枠３３、下枠３４で囲まれた空間に金属網１５が取り付けられて構成される。
【００２８】
第２側部枠部材３は、図３に示すように、平面視で背面部枠部材１に対し、図３の直角状態から図１４の平行状態まで、略９０°の範囲で回動可能に、蝶番７を介して取り付けられる。また、図６などに示す如く、下枠３４の前底部に、取付板３８が固定され、その取付板３８の底面に、例えば自在キャスターからなる前キャスター１０ｃが取り付けられる。
【００２９】
上記のように、背面部枠部材１の下枠１４に１対の後キャスター１０ａが取り付けられ、第１側部枠部材２の下枠２４の前底部に前キャスター１０ｂが取り付けられ、第２側部枠部材３の下枠３４の前底部に前キャスター１０ｃが取り付けられため、この台車兼陳列棚は、図３に示す使用時、及び図１５、１６に示す非使用時において、自在に移動可能である。
【００３０】
図３に示す如く、背面部枠部材１の下枠１４の前側に、１対のヒンジ部８を介してベース板４が上下に回動可能に枢支される。ベース板４は、図１３に示すように、ベース本体４１が長方形の鋼板の、４辺の縁部を下側に折り曲げて、方形状に形成され、ベース本体４１の内側に補強リブ４２が水平に固定される。また、ヒンジ部８のヒンジ片８ｂがベース本体４１の背面側の２箇所に固定される。
【００３１】
ベース板４を取り付ける場合、図６に示す如く、そのヒンジ片８ｂを、背面部枠部材１の下枠１４の前側に固定したヒンジ片８ａと係合させ、ヒンジ軸をその間に嵌挿させて連結する。これにより、ベース板４はヒンジ部８を介して上下に回動可能に保持される。ベース板４のベース本体４１の内側に、上記ロック金具９が、ベース板４を水平位置と垂直位置でロックするように設けられる。
【００３２】
ベース板４を水平位置でロックするために、図８に示す如く、第１側部枠部材２の下枠２４の先端内側に挿入孔２９が穿設され、第２側部枠部材３の下枠３４の先端内側に挿入孔３９が穿設される。ベース板４を水平位置まで下ろしたとき、両側のロック金具９のロックピン９２の位置が各々、挿入孔２９，３９の位置で一致するようになっており、両側のロック金具９のロックピン９２を外側に摺動操作すれば、ロックピン９２の先端が挿入孔２９，３９に挿入され、ベース板４は水平位置でロックされる。
【００３３】
さらに、図８に示す如く、第１側部枠部材２の下枠２４の内側、及び第２側部枠部材３の下枠３４の内側に、ベース板保持部２５，３５が設けられている。これにより、ベース板４を水平位置まで下ろしたとき、ベース板４の両側縁部がベース板保持部２５，３５に嵌入され、保持されるようになっている。
【００３４】
一方、ベース板４を垂直位置まで上げたときには、両側のロック金具９のロックピン９２の位置が、各々、第１側部枠部材２の後枠２１の掛止部２７の位置、または第２側部枠部材３の後枠３１の背面側に位置するようになっており、ベース板４の垂直状態で、両側のロック金具９のロックピン９２を外側に摺動操作すれば、ロックピン９２の先端が後枠２１の背面側または後枠３１の背面側に挿入され、ベース板４は垂直位置でロックされることとなる。
【００３５】
なお、実施形態では、ロック金具９は、ベース板４が水平位置と垂直位置にあるとき、ロックピン９２を挿入孔２９等に係止させて、ベース板４をロックするようにしたが、ベース板４を垂直位置でのみ、ロックするように構成してもよい。
【００３６】
図９に示すように、棚板６を支持するために、背面部枠部材１の両側の支柱１１，１２に、棚受け部材５が着脱可能に取り付けられる。両側の支柱１１，１２の前面には、図１０に示すように、スリット状の係止孔１７が縦方向に所定の間隔をおいて多数穿設されている。一方、棚受け部材５は、図９に示す如く、例えば鋼板を略三角形状に加工して形成され、棚受け部材５の背面部に、複数のフック状の係止部５１が縦方向に配置され、支柱側の複数のスリット状の係止孔１７に、複数の係止部５１を嵌入可能に形成される。棚受け部材５の上縁は、図９に示すように、水平上縁部として形成され、棚板６をその水平上縁部上に安定して載置可能となっている。
【００３７】
この実施形態では、複数の係止部５１が、側面視で円弧状に配置されるが、上下直線状に配置することもできる。また、このような複数のフック状の係止部５１を背面部に設けた棚受け部材５は、図９のように、複数の係止部５１が縦方向に配置された複数の係止孔１７に嵌入されて取り付けられるため、棚受け部材５が支柱１１，１２に対し強固に支持され、棚板６にかかる荷重を確実に棚受け部材５及び支柱１１，１２が保持できる構造となっている。
【００３８】
さらに、両側の支柱１１，１２の前面に、多数の係止孔１７が、比較的短い長さと間隔で、柱の上部から下部まで形成されるため、棚受け部材５を、任意の高さ位置に簡単に取り付けることができる。これにより、使用時、ユーザーは、任意の高さ位置に棚板６を取り付け、且つ任意の枚数の棚板６を、陳列する商品に応じて、取り付けることができる。
【００３９】
次に、上記構成の台車兼陳列棚の使用態様を説明する。図１６、１７のようにネスティング状態で収納された台車兼陳列棚は、第２側部枠部材３を手前に開き、ベース板４を水平状態とし、安定した形態として移動させることができる。
【００４０】
つまり、第２側部枠部材３を、背面部枠部材１に対し直角に、第１側部枠部材２と平行な位置まで、手前に約９０°回動させる。この状態で、次にベース板４を背面部枠部材１に対しヒンジ部８を介して手前下側に回動させ、水平状態とする。
【００４１】
このとき、ベース板４の左側の縁部が、第１側部枠部材２の下枠２４の内側のベース板保持部２５に嵌入されて保持され、ベース板４の左側の縁部が、第２側部枠部材３の下枠３４の内側のベース板保持部３５に嵌入され、ベース板４は水平状態で保持される。さらに、ベース板４の前底部に取り付けたロック金具９の把持部９３をもって、ロックピン９２をロックケース９１上で摺動させ、ベース板４から両側にロックピン９２の先端部を突出させる。
【００４２】
このとき、両側のロックピン９２の先端部が、第１側部枠部材２の下枠２４の挿入孔２９、及び第２側部枠部材３の下枠３４の挿入孔３９に挿入される。これにより、ベース板４は、その両側を、第１側部枠部材２の下枠２４及び第２側部枠部材３の下枠３４に挟まれた状態で、水平に保持され、ベース板４がロック金具９によりロックされる。同時に、開閉可能な第２側部枠部材３も、ベース板４の縁部がベース板保持部３５に嵌入して保持され、第２側部枠部材３は相対的にベース板４に対し図３の状態にロックされる。
【００４３】
この状態の台車兼陳列棚は、図３に示すように、背面部枠部材１、第１側部枠部材２、第２側部枠部材３、及びベース板４で包囲された空間を有し、ベース板４または棚板６の上に多数の商品を入れ、前キャスター１０ｂ、１０ｃ及び後キャスター１０ａを走行させて、台車として、イベントセールなどの場所まで、簡便に移動させることができる。
【００４４】
なお、図３のように棚板６が取り付けられている場合、棚板６を外した状態として移動してもよい。また、開口する台車兼陳列棚の前部から商品が移動中に落下する虞がある場合には、陳列棚の前部を、ベルトなどを掛けて、前部の開口を閉じれば、商品の落下を防止することができる。
【００４５】
台車兼陳列棚を陳列棚として使用する場合、図３に示すように、任意の位置に、１対の棚受け部材５を取り付け、両側の棚受け部材５上に棚板６を載置して使用する。このとき、棚受け部材５は、その背面部の係止部５１を、背面部枠部材１の両側の支柱１１，１２に設けたスリット状の係止孔１７に嵌入して、水平位置に取り付ける。棚受け部材５の係止部５１は、複数個が支柱１１，１２の複数の係止孔１７に嵌め込まれるので、水平位置に強固に保持され、その上に棚板６を安定して載置することができる。棚板６は、図３のように、１枚であっても、図４のように、２枚或いは３枚として、任意の位置に棚受け部材５を介して取り付けることができる。
【００４６】
従って、例えば、大型量販店などでイベントセールを行うために、大量の商品を一時的に、臨時場所の陳列棚に、陳列する場合、上記台車兼陳列棚内に商品を搭載して、セールを行う場所まで移動させ、その場所で、陳列棚を停止させ、内側に、図３，４のように、１枚または複数の棚板６を取り付け、そこに多数の商品を陳列し、イベントセールなどを行う。
【００４７】
そして、陳列棚としての使用を終了した場合、棚板６と棚受け部材５を外し、ベース板４の底部のロック金具９のロックを外す。このとき、ロック金具９の把持部９３を持ってロックピン９２を内側に摺動させ、ロックピン９２の先端部を、第１側部枠部材２の下枠２４の挿入孔２９から、及び第２側部枠部材３の下枠３４の挿入孔３９から外す。
【００４８】
次に、ベース板４を、その背面部のヒンジ部８を介して上側に回動させ、図１４に示すように、ベース板４が背面部枠部材１と平行に鉛直状態となったとき、ロックピン９２を外側に摺動させる。これにより、左側のロックピン９２の先端部が第１側部枠部材２の後枠２１の掛止部２７に掛止され、右側のロックピン９２の先端部は、第２側部枠部材３の後枠３１の背面側に差し込まれ掛止される。
【００４９】
これにより、ベース板４は、図１４に示すように、鉛直状態で背面部枠部材１の前側に保持されることとなる。そして、図１５に示すように、第２側部枠部材３を、その後枠３１を軸に、蝶番７を介して内側に回動させ、背面部枠部材１と平行な状態として閉じた状態とする。このように、第２側部枠部材３を内側に閉じれば、図１６に示すように、多数の台車兼陳列棚をネスティング状態として、省スペースで収納することができる。
【００５０】
このように、上記台車兼陳列棚は、例えばイベントセールなどで、多くの商品を売り場まで搬送する際、台車兼陳列棚内に多くの商品を搭載して効率良く搬入することができる。また、陳列棚として商品の陳列に使用する際、背面部枠部材１の両側の支柱１１，１２に対し、棚受け部材５を介して複数の棚板６を任意の高さ位置に着脱可能に取り付けることができるので、商品の種類や大きさに応じて、棚板６の位置を変え、効率良く多くの商品を陳列することができる。
【００５１】
また、非使用時、棚板６と棚受け部材５を外し、ベース板４を上に回動させて鉛直位置とし、第２側部枠部材３を内側に回動させ、背面部枠部材１と平行にして台車兼陳列棚を収納すれば、複数の台車兼陳列棚をネスティングして収納することができ、収納スペースの省スペース化を図ることができる。
【符号の説明】
【００５２】
１      背面部枠部材
２      第１側部枠部材
３      第２側部枠部材
４      ベース板
５      棚受け部材
６      棚板
７      蝶番
７ａ    半円形部材
７ｂ    半円形部材
７ｃ    締付ネジ
８      ヒンジ部
８ａ    ヒンジ片
８ｂ    ヒンジ片
９      ロック金具
１０ａ  後キャスター
１０ｂ  前キャスター
１０ｃ  前キャスター
１１    支柱
１２    支柱
１３    上枠
１４    下枠
１５    金属網
１６    取付板
１７    係止孔
１８    ストッパ
２１    後枠
２３    上枠
２４    下枠
２５    ベース板保持部
２６    固定ネジ
２７    掛止部
２８    取付板
２９    挿入孔
３１    後枠
３３    上枠
３４    下枠
３５    ベース板保持部
３８    取付板
３９    挿入孔
４１    ベース本体
４２    補強リブ
５１    係止部
９１    ロックケース
９２    ロックピン
９３    把持部
９４    コイルバネ
９５    係止凹部
９６    係止凹部
【図１】
2019187738.tif 000003
【図２】
2019187738.tif 000004
【図３】
2019187738.tif 000005
【図４】
2019187738.tif 000006
【図５】
2019187738.tif 000007
【図６】
2019187738.tif 000008
【図７】
2019187738.tif 000009
【図８】
2019187738.tif 000010
【図９】
2019187738.tif 000011
【図１０】
2019187738.tif 000012
【図１１】
2019187738.tif 000013
【図１２】
2019187738.tif 000014
【図１３】
2019187738.tif 000015
【図１４】
2019187738.tif 000016
【図１５】
2019187738.tif 000017
【図１６】
2019187738.tif 000018
【図１７】
2019187738.tif 000019